(57)【要約】  拡大インデックス表示部１２は、接触位置検知回路２１により初期インデックス５０に指示体が接触したことが検知されたときに、接触により選択されている項目ボタン５１を第１サイズに拡大した拡大項目ボタン６１ｈと、拡大項目ボタン６１ｈから離れるに従って第１サイズよりも次第に小さくした拡大項目ボタン６１ｆ，６１ｇ，６１ｉ〜６１ｌとを配列した拡大インデックス６０を表示する。拡大インデックス変更部１３は、指示体Ｆが上方向にスライドしたときに、タッチされた拡大項目ボタン６１ｇを最も大きな第２サイズとし、周囲の拡大項目ボタン６１ｅ，６１ｆ，６１ｈ〜６１ｋを、拡大項目ボタン６１ｇから離れるに従って第２サイズよりも次第に小さくなるサイズとする。
2016151919.tif 000002
【特許請求の範囲】
【請求項１】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示するときに、該電子書籍の複数の項目に対して個別に割り当てられた複数の項目ボタンを、第１方向に配列した初期インデックスを、前記タッチパネル表示部に表示する初期インデックス表示ステップと、
前記初期インデックスに指示体が接触したことが前記接触位置検知部により検知されたときに、前記制御部が、指示体の接触箇所に表示されていた前記項目ボタンである選択項目ボタンを、第１サイズに拡大した拡大選択項目ボタンと、前記初期インデックスにおいて該選択項目ボタンから連続した所定個数の前記項目ボタンである周囲項目ボタンを、前記拡大選択項目ボタンから離れるに従って、前記第１サイズよりも次第に小さくなるように拡大した拡大周囲項目ボタンとを、前記初期インデックスと同じ順序で前記第１方向に配列した拡大インデックスを前記タッチパネル表示部に表示する拡大インデックス表示ステップと、
前記拡大インデックスの前記拡大選択項目ボタンに接触した指示体が、前記第１方向にスライドして前記拡大周囲項目ボタンに接触したことが前記接触位置検知部により検知されたときに、前記制御部が、前記拡大インデックスの表示を、指示体が接触している前記拡大周囲項目ボタンを第２サイズに拡大すると共に、前記初期インデックスにおいて、該指示体が接触している前記拡大周囲項目ボタンに対応する前記項目ボタンから連続した第２所定個数の前記項目ボタンを、該指示体が接触している前記拡大周囲項目ボタンから離れるに従って、前記第２サイズよりも次第に小さくなるように拡大して、前記初期インデックスと同じ順序で前記第１方向に配列した拡大シフト表示に変更する拡大インデックス変更ステップと
を含むことを特徴とする電子書籍の閲覧支援方法。
【請求項２】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、前記制御部により実行される電子書籍の閲覧支援用プログラムであって、
前記制御部を、
前記タッチパネル表示部に電子書籍の閲覧画面を表示するときに、該電子書籍の複数の項目に対して個別に割り当てられた複数の項目ボタンを第１方向に配列した初期インデックスを、前記タッチパネル表示部に表示する初期インデックス表示部と、
前記初期インデックスに指示体が接触したことが前記接触位置検知部により検知されたときに、指示体の接触箇所に表示されていた前記項目ボタンである選択項目ボタンを、第１サイズに拡大した拡大選択項目ボタンと、前記初期インデックスにおいて該選択項目ボタンから連続した所定個数の前記項目ボタンである周囲項目ボタンを、前記選択項目ボタンから離れるに従って、前記第１サイズよりも次第に小さくなるように拡大した拡大周囲項目ボタンとを、前記初期インデックスと同じ順序で前記第１方向に配列した拡大インデックスを前記タッチパネル表示部に表示する拡大インデックス表示部と、
前記拡大インデックスの前記拡大選択項目ボタンに接触した指示体が、前記第１方向にスライドして前記拡大周囲項目ボタンに接触したことが前記接触位置検知部により検知されたときに、前記拡大インデックスの表示を、指示体が接触している前記拡大周囲項目ボタンを第２サイズに拡大すると共に、前記初期インデックスにおいて、該指示体が接触している前記拡大周囲項目ボタンに対応する前記項目ボタンから連続した第２所定個数の前記項目ボタンを、該指示体が接触している前記拡大周囲項目ボタンから離れるに従って、前記第２サイズよりも次第に小さくなるように拡大して、前記初期インデックスと同じ順序で前記第１方向に配列した拡大シフト表示に変更する拡大インデックス変更部と
して機能させることを特徴とする電子書籍の閲覧支援用プログラム。
【請求項３】
請求項２に記載の電子書籍の閲覧支援用プログラムにおいて、
前記制御部を、
前記拡大インデックスに接触した指示体が前記第１方向と異なる第２方向にスライドしたことが、前記接触位置検知部により検知されたときに、前記タッチパネル表示部に表示する前記電子書籍のページを進めるページ送り表示、又はページを戻すページ戻し表示を行う第１ページ表示切替部として機能させることを特徴とする電子書籍の閲覧支援用プログラム。
【請求項４】
請求項２に記載の電子書籍の閲覧支援用プログラムにおいて、
前記制御部を、
前記拡大インデックスに接触した指示体が、前記第１方向と異なる第３方向にスライドして前記タッチパネル表示部から離れたことが前記接触位置検知部により検知されたときに、前記タッチパネル表示部に表示する前記電子書籍にページを前記項目単位で進めるインデックス送り表示、又は前記項目単位で戻すインデックス戻し表示を行う第２ページ表示切替部として機能させることを特徴とする電子書籍の閲覧支援用プログラム。
【請求項５】
請求項２に記載の電子書籍の閲覧支援用プログラムにおいて、
前記拡大インデックス表示部は、前記拡大インデックスを前記タッチ表示部に表示するときに、前記選択項目ボタンが割り当てられた前記電子書籍の項目のページを前記タッチパネル表示部に表示し、
前記拡大インデックス変更部は、前記拡大シフト表示を前記タッチ表示部に表示するときに、指示体が接触している前記拡大周囲項目ボタンに対応する前記項目ボタンが割り当てられた前記電子書籍の項目のページを、前記タッチパネル表示部に表示することを特徴とする電子書籍の閲覧支援用プログラム。
【発明の詳細な説明】
【技術分野】
【０００１】
本発明は、タッチパネル表示装置による電子書籍の閲覧を支援するための方法及びプログラムに関する。
【背景技術】
【０００２】
従来、タッチパネル装置（タブレット端末、スマートホン、パソコン等のタッチパネル表示部を備えた装置）による電子書籍の閲覧を容易にするための種々の方法が提案されている（例えば、特許文献１参照）。【０００３】
特許文献１には、閲覧者がタッチパネル表示部の一定箇所に所定時間以上連続して触れたときに、触れた箇所を中心とする拡大対象領域を設定し、この拡大対象領域を拡大した画像を元画像に重ねて表示するようにしている。このように表示することにより、閲覧者は、元画像とその一部の拡大画像を同時に視認できるので、タッチパネル表示部に表示された情報の閲覧性を高めることができる。
【先行技術文献】
【特許文献】
【０００４】
【特許文献１】特開２０１０−２３７９２８号公報
【発明の概要】
【発明が解決しようとする課題】
【０００５】
タッチパネル装置により、カタログ等の電子書籍を閲覧するときには、紙媒体の書籍を閲覧するときと同様に、ページをめくりながら、閲覧者が目的とする情報の記載箇所を素早く検索できることが望まれる。【０００６】
本発明はかかる背景に鑑みてなされたものであり、目的とする情報の記載箇所を素早く検索することができる電子書籍の閲覧支援方法、及び電子書籍の閲覧支援用プログラムを提供することを目的とする。
【課題を解決するための手段】
【０００７】
本発明は上記目的を達成するためになされたものであり、本発明の電子書籍の閲覧支援方法は、タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示するときに、該電子書籍の複数の項目に対して個別に割り当てられた複数の項目ボタンを、第１方向に配列した初期インデックスを、前記タッチパネル表示部に表示する初期インデックス表示ステップと、
前記初期インデックスに指示体が接触したことが前記接触位置検知部により検知されたときに、前記制御部が、指示体の接触箇所に表示されていた前記項目ボタンである選択項目ボタンを、第１サイズに拡大した拡大選択項目ボタンと、前記初期インデックスにおいて該選択項目ボタンから連続した所定個数の前記項目ボタンである周囲項目ボタンを、前記拡大選択項目ボタンから離れるに従って、前記第１サイズよりも次第に小さくなるように拡大した拡大周囲項目ボタンとを、前記初期インデックスと同じ順序で前記第１方向に配列した拡大インデックスを前記タッチパネル表示部に表示する拡大インデックス表示ステップと、
前記拡大インデックスの前記拡大選択項目ボタンに接触した指示体が、前記第１方向にスライドして前記拡大周囲項目ボタンに接触したことが前記接触位置検知部により検知されたときに、前記制御部が、前記拡大インデックスの表示を、指示体が接触している前記拡大周囲項目ボタンを第２サイズに拡大すると共に、前記初期インデックスにおいて、該指示体が接触している前記拡大周囲項目ボタンに対応する前記項目ボタンから連続した第２所定個数の前記項目ボタンを、該指示体が接触している前記拡大周囲項目ボタンから離れるに従って、前記第２サイズよりも次第に小さくなるように拡大して、前記初期インデックスと同じ順序で前記第１方向に配列した拡大シフト表示に変更する拡大インデックス変更ステップとを含むことを特徴とする。【０００８】
かかる本発明によれば、前記タッチパネル装置によって電子書籍の閲覧表示がなされるときに、前記初期インデックス表示ステップにより、前記制御部が前記初期インデックスを表示する。そして、前記タッチパネル装置の使用者（閲覧者）が指示体（使用者の指、タッチペン等）を前記初期インデックスに接触させたときに、前記拡大インデックス表示ステップにより、前記制御部が前記拡大インデックスを前記タッチパネル表示部に表示する。ここで、前記拡大インデックスは、前記初期インデックスで選択された項目ボタン（選択項目ボタン）を第１サイズに拡大した拡大選択項目ボタンと、前記初期インデックスにおいて選択項目ボタンから連続した周囲項目ボタンを、拡大選択項目ボタンから離れるに従って前記第１サイズよりも次第に小さくなるように拡大した拡大周囲項目ボタンとを、前記初期インデックスと同じ順序で配列したものである。【０００９】
そのため、使用者は、前記拡大インデックスを視認することにより、自身が選択している項目を、最もサイズが大きい前記拡大選択項目ボタンにより容易に確認できると共に、選択している項目付近の他の項目の位置を、前記拡大周囲項目ボタンのサイズの変化（サイズが小さいほど離れた箇所にある）によって直感的に認識することができる。【００１０】
そして、使用者が前記拡大インデックスに接触させた指示体を前記第１方向（前記拡大選択項目ボタン及び前記拡大周囲項目ボタンの配列方向）にスライドさせたときに、前記拡大インデックス変更ステップにより、前記制御部が、前記拡大インデックスの表示を、指示体が接触している前記拡大周囲項目ボタンを前記第２サイズに拡大すると共に、前記初期インデックスにおいて、該指示体が接触している前記拡大周囲項目ボタンに対応する前記項目ボタンから連続した第２所定個数の前記項目ボタンを、該指示体が接触している前記拡大周囲項目ボタンから離れるに従って、前記第２サイズよりも次第に小さくなるように拡大して、前記初期インデックスと同じ順序で配列した前記拡大シフト表示に変更する。【００１１】
なお、前記第１サイズと前記第２サイズは、同じサイズでも異なるサイズでもよい。【００１２】
この場合、使用者は、指示体のスライド操作に応じて、選択している項目が切り替わったことを、前記拡大インデックスの表示状態の変化（指示体が接触しているボタンのサイズが最も大きく、指示体の接触箇所から離れるに従って周囲のボタンのサイズが次第に小さくなる）を視認することによって、容易に認識することができる。【００１３】
そのため、使用者は、前記拡大インデックスに接触させた指示体を前記第１方向にスライドさせることにより、閲覧したい項目を容易に検索して、前記電子書籍を閲覧することができる。【００１４】
次に、本発明の電子書籍の閲覧支援用プログラムは、
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、前記制御部により実行される電子書籍の閲覧支援用プログラムであって、
前記制御部を、
前記タッチパネル表示部に電子書籍の閲覧画面を表示するときに、該電子書籍の複数の項目に対して個別に割り当てられた複数の項目ボタンを第１方向に配列した初期インデックスを、前記タッチパネル表示部に表示する初期インデックス表示部と、
前記初期インデックスに指示体が接触したことが前記接触位置検知部により検知されたときに、指示体の接触箇所に表示されていた前記項目ボタンである選択項目ボタンを、第１サイズに拡大した拡大選択項目ボタンと、前記初期インデックスにおいて該選択項目ボタンから連続した所定個数の前記項目ボタンである周囲項目ボタンを、前記選択項目ボタンから離れるに従って、前記第１サイズよりも次第に小さくなるように拡大した拡大周囲項目ボタンとを、前記初期インデックスと同じ順序で前記第１方向に配列した拡大インデックスを前記タッチパネル表示部に表示する拡大インデックス表示部と、
前記拡大インデックスの前記拡大選択項目ボタンに接触した指示体が、前記第１方向にスライドして前記拡大周囲項目ボタンに接触したことが前記接触位置検知部により検知されたときに、前記拡大インデックスの表示を、指示体が接触している前記拡大周囲項目ボタンを第２サイズに拡大すると共に、前記初期インデックスにおいて、該指示体が接触している前記拡大周囲項目ボタンに対応する前記項目ボタンから連続した第２所定個数の前記項目ボタンを、該指示体が接触している前記拡大周囲項目ボタンから離れるに従って、前記第２サイズよりも次第に小さくなるように拡大して、前記初期インデックスと同じ順序で前記第１方向に配列した拡大シフト表示に変更する拡大インデックス変更部と
して機能させることを特徴とする。【００１５】
かかる発明によれば、前記初期インデックス表示部は、前記タッチパネル装置によって電子書籍の閲覧表示がなされるときに前記初期インデックスを表示する。そして、前記拡大インデックス表示部は、前記タッチパネル装置の使用者が指示体を前記初期インデックスに接触させたときに、前記拡大インデックスを前記タッチパネル表示部に表示する。【００１６】
使用者は、前記拡大インデックスを視認することにより、自身が選択している項目を、最もサイズが大きい前記拡大選択項目ボタンにより容易に確認できると共に、選択している項目付近の他の項目の位置を、前記拡大周囲項目ボタンのサイズの変化（サイズが小さいほど離れた位置にある）によって直感的に認識することができる。【００１７】
そして、前記拡大インデックス変更部は、使用者が前記拡大インデックスに接触させた指示体を前記第１方向（前記拡大選択項目ボタン及び前記拡大周囲項目ボタンの配列方向）にスライドさせたときに、前記拡大インデックスの表示を、指示体が接触している前記拡大周囲項目ボタンを前記第２サイズに拡大すると共に、前記初期インデックスにおいて、指示体が接触している前記拡大周囲項目ボタンに対応する前記項目ボタンから連続した第２所定個数の前記項目ボタンを、指示体が接触している前記拡大周囲項目ボタンから離れるに従って、前記第２サイズよりも次第に小さくなるように拡大して、前記初期インデックスと同じ順序で配列した前記拡大シフト表示に変更する。【００１８】
なお、前記第１サイズと前記第２サイズは、同じサイズでも異なるサイズでもよい。【００１９】
この場合、使用者は、指示体のスライド操作に応じて、選択している項目が切り替わったことを、前記拡大インデックスの表示状態の変化（指示体が接触しているボタンのサイズが最も大きく、指示体の接触箇所から離れるに従って周囲のボタンのサイズが次第に小
さくなる）を視認することによって、容易に認識することができる。【００２０】
そのため、使用者は、前記拡大インデックスに接触させた指示体を前記第１方向にスライドさせることにより、閲覧したい項目を容易に検索して、前記電子書籍を閲覧することができる。【００２１】
また、前記電子書籍の閲覧支援用プログラムにおいて、前記制御部を、
前記拡大インデックスに接触した指示体が前記第１方向と異なる第２方向にスライドしたことが、前記接触位置検知部により検知されたときに、前記タッチパネル表示部に表示する前記電子書籍のページを進めるページ送り表示、又はページを戻すページ戻し表示を行う第１ページ表示切替部として機能させることを特徴とする。【００２２】
この構成によれば、使用者は、前記拡大インデックスの前記第１方向のスライド操作によって電子書籍の項目を選択した後、前記第２方向のスライド操作を行うことで、選択した項目内のページを送り又は戻して、各ページの記載内容を速やかに確認することができる。【００２３】
また、前記電子書籍の閲覧支援用プログラムにおいて、前記制御部を、
前記拡大インデックスに接触した指示体が、前記第１方向と異なる第３方向にスライドして前記タッチパネル表示部から離れたことが前記接触位置検知部により検知されたときに、前記タッチパネル表示部に表示する前記電子書籍にページを前記項目単位で進めるインデックス送り表示、又は前記項目単位で戻すインデックス戻し表示を行う第２ページ表示切替部として機能させることを特徴とする。【００２４】
この構成によれば、使用者は、前記拡大インデックスの前記第１方向のスライド操作によって電子書籍の項目を選択した後、前記第２方向の弾き操作（フリック操作）を行うことにより、選択する項目を容易に切り替えることができる。【００２５】
また、前記電子書籍の閲覧支援用プログラムにおいて、
前記拡大インデックス表示部は、前記拡大インデックスを前記タッチ表示部に表示するときに、前記選択項目ボタンが割り当てられた前記電子書籍の項目のページを前記タッチパネル表示部に表示し、
前記拡大インデックス変更部は、前記拡大シフト表示を前記タッチ表示部に表示するときに、指示体が接触している前記拡大周囲項目ボタンに対応する前記項目ボタンが割り当てられた前記電子書籍の項目のページを、前記タッチパネル表示部に表示することを特徴とする。【００２６】
この構成によれば、使用者が指示体により選択している前記拡大選択ボタン又は前記拡大周囲項目ボタンに対応する項目ボタンに割り当てられた前記電子書籍の項目のページが、前記タッチパネル表示部に表示される。そのため、使用者は、選択している項目について、前記電子書籍の内容を確認しながら検索を行うことができる。
【図面の簡単な説明】
【００２７】
【図１】本発明の電子書籍の閲覧支援方法、及び電子書籍の閲覧支援用プログラムが実行されるタッチパネル装置の外観説明図。
【図２】図１に示したタッチパネル装置の構成図。
【図３】タッチ操作に対する処理の第１のフローチャート。
【図４】タッチ操作に対する処理の第２のフローチャート。
【図５】拡大インデックスの初期表示状態の説明図。
【図６】図６Ａは拡大インデックスの初期状態、図６Ｂは拡大インデックスに対して上方向のスライド操作がなされたときの説明図。
【図７】拡大インデックスに対して下方向のスライド操作がなされたときの説明図。
【図８】図８Ａは拡大インデックスに対して右方向のスライド操作がなされたときの説明図、図８Ｂは拡大インデックスに対して左方向のフリック操作がなされたときの説明図。
【発明を実施するための形態】
【００２８】
本発明の実施形態の一例について、図１〜図８を参照して説明する。
【００２９】
図１を参照して、本発明の電子書籍の閲覧支援方法及び電子書籍の閲覧支援用プログラムが実行されるタッチパネル装置１は携帯型のタブレット端末であり、筐体の前面に配置されたタッチパネル表示部２０と、筐体内に配置されてタッチパネル表示部２０の表示を制御する制御部１０（図２参照）とを備えている。タッチパネル表示部２０は、例えば、液晶ディスプレイの表面に透明のタッチパネルを重ねて構成されている。
【００３０】
図１は、工具の電子カタログ（本発明の電子書籍に相当する）の閲覧画面４０が表示された状態を示しており、タッチパネル表示部２０の右上部に初期インデックス５０が表示されている。
【００３１】
初期インデックス５０は、工具の電子カタログにおける項目（ジャンル）に対して個別に割り当てられた複数の項目ボタン５１（５１ａ，５１ｂ，…，５１ｓ）を、上下方向（図中ｙ方向、本発明の第１方向に相当する）に配列して構成されている。項目ボタン５１として、上から順に、「超硬エンドミル」、「ハイスエンドミル」、「自由指定直刃エンドミル」、「専用カッター」、「ドリル」、「面取り・センタリング工具」、「リーマ」、「タップ」、「フライス用チップ・カッター」、「切削工具」、「加工治具」、「ツーリング」、「放電工具」、「研削・研磨用品」、「手作業工具」、「電動・空圧工具」、「測定工具」、「化学製品」、「工場雑貨」という項目が個別に割り当てられた１９個の項目ボタン５１ａ，５１ｂ，…，５１ｓが配列されている。
【００３２】
次に、図２を参照して、タッチパネル装置１には、制御部１０とタッチパネル表示部２０の他に、タッチパネル表示部２０に接触した指示体（使用者の指、タッチペン等）の位置を検知する接触位置検知回路２１（本発明の接触位置検知部に相当する）と、通信回路３０とを備えている。
【００３３】
制御部１０は、図示しないＣＰＵ、メモリ、インターフェース回路等により構成された電子回路ユニットであり、メモリに保持された電子書籍の閲覧支援用プログラムをＣＰＵにより実行することによって、後述する初期インデックス表示部１１、拡大インデックス表示部１２、拡大インデックス変更部１３、第１ページ表示切替部１４、及び第２ページ表示切替部１５として機能する。
【００３４】
制御部１０は、使用者によるタッチパネル表示部２０のタッチ操作に応じて、電子書籍の閲覧処理を行う。この場合、電子書籍のデータは、メモリに保持されていてもよく、通信回路３０により、通信ネットワーク１００を介して電子カタログサーバ１０１からダウンロードしてもよい。
【００３５】
次に、図３〜図４のフローチャートに従って、制御部１０により実行される電子書籍の閲覧支援処理について説明する。
【００３６】
制御部１０は、使用者により電子書籍の閲覧アプリケーションの起動操作がなされたときに、このアプリケーションのプログラム（本発明の電子書籍の閲覧支援用プログラムを
含む）をＣＰＵで実行して、図１に示したようにタッチパネル表示部２０に電子書籍の閲覧画面４０を表示する。電子書籍の閲覧アプリケーションのプログラムは、予めメモリに保持されていてもよく、電子カタログサーバ１０１等からダウンロードしてもよい。
【００３７】
そして、制御部１０は、図３〜図４のフローチャートによる処理を実行する。図３のＳＴＥＰ１は初期インデックス表示部１１による処理である。初期インデックス表示部１１は、図１に示したように、初期インデックス５０を、タッチパネル表示部２０の右上箇所に表示する。なお、初期インデックス表示部１１によるＳＴＥＰ１の処理は、本発明の電子書籍の支援方法における初期インデックス表示ステップに相当する。
【００３８】
続くＳＴＥＰ２〜ＳＴＥＰ４は、拡大インデックス表示部１２による処理である。拡大インデックス表示部１２は、ＳＴＥＰ２で、接触位置検知回路２１により、初期インデックス５０の指示体の接触が検知されているか否か（使用者により、初期インデックス５０のタッチ操作がなされているか否か）を判断する。
【００３９】
そして、初期インデックス５０への指示体の接触が検知されているときはＳＴＥＰ３に進み、拡大インデックス表示部１２は、図５に示したように、拡大インデックス６０を表示する。図５の例では、拡大インデックス６０は、使用者の指Ｆが接触した初期インデックス５０の「タップ」の項目ボタン５１ｈ（選択項目ボタン）を、第１サイズに拡大した「タップ」の拡大項目ボタン６１ｈ（拡大選択項目ボタン）を表示する。
【００４０】
なお、図５〜図８においては、図１に示した初期インデックス５０の項目ボタン５１（５１ａ〜５１ｓ）に対して、拡大インデックス６０で拡大した同一項目の拡大項目ボタン６１を、同一のアルファベットを付して示している。
【００４１】
また、拡大インデックス表示部１２は、初期インデックス５０において、「タップ」の項目ボタン５１ｈから上下方向に連続した６個（本発明の第１所定個数に相当する）の項目ボタン５１（周囲項目ボタン）である、上方向に連続した「リーマ」の項目ボタン５１ｇ及び「面取り・センタリング」の項目ボタン５１ｆと、下方向に連続した「フライス用チップ・カッター」の項目ボタン５１ｉ、「切削工具」の項目ボタン５１ｊ、「加工治具」の項目ボタン５１ｋ、及び「ツーリング」の項目ボタン５１ｌを、「タップ」の拡大項目ボタン６１ｈから離れるに従って、拡大項目ボタン６１ｈよりも次第に小さくなるサイズに拡大した拡大項目ボタン６１ｆ，６１ｇ，６１ｉ，６１ｋ，６１ｌを、初期インデックス５０と同じ順序に配列して表示する。
【００４２】
このように、初期インデックス５０がタッチ操作されたときに、タッチ操作された項目ボタン５１（選択項目ボタン、図５では「タップ」の項目ボタン５１ｈ）を起点として、選択項目ボタンを最も大きいサイズに拡大（図５では拡大項目ボタン６１ｈ）し、周囲の項目ボタン５１を選択項目ボタンから離れるに従って次第に小さくなるサイズに拡大した拡大インデックス６０を表示することで、使用者に対して、選択されている項目を視認し易くすることができる。
【００４３】
また、使用者は、選択されている項目の付近の他の項目が電子書籍のどのあたりにあるかを、拡大項目ボタンのサイズの違いによって直感的に認識することができる。
【００４４】
続くＳＴＥＰ４で、拡大インデックス表示部１２は、拡大インデックス６０のタッチ操作により選択されている電子書籍の項目（図５ではタップ）のページを、タッチパネル表示部２０に表示する。
【００４５】
次のＳＴＥＰ５及びＳＴＥＰ５から分岐したＳＴＥＰ１０〜ＳＴＥＰ１１は、拡大インデックス変更部１３による処理である。拡大インデックス変更部１３は、ＳＴＥＰ５で、接触位置検知回路２１により、拡大インデックス６０に接触した指示体が上下方向にスライドしたか否か（使用者による拡大インデックス６０に対するスライド操作がされたか否か）を判断する。そして、上下方向のスライドが検知されたときはＳＴＥＰ１０に分岐し、上下方向のスライドが検知されていないときには図４のＳＴＥＰ６に進む。
【００４６】
ＳＴＥＰ１０で、拡大インデックス変更部１３は、拡大インデックス６０の表示を、指示体が接触している拡大項目ボタン６１（拡大選択項目ボタン）を第２サイズに拡大して表示すると共に、初期インデックス５０において、拡大選択項目ボタンに対応する項目ボタン（割り当てられた項目が同一である項目ボタン）５１から連続した７個（本発明の第２所定個数に相当する）の項目ボタン５１を、選択拡大項目ボタンから離れるに従って小さくなるサイズに拡大した拡大項目ボタン（拡大周囲項目ボタン）を表示する（拡大シフト表示）。
【００４７】
なお、拡大インデックス表示部１２によるＳＴＥＰ５及びＳＴＥＰ１０〜ＳＴＥＰ１１の処理は、本発明の電子書籍の閲覧支援方法における拡大インデックス表示ステップに相当する。
【００４８】
例えば、図６Ｂは、図６Ａに示した「タップ」の拡大項目ボタン６１ｈに使用者の指Ｆがタッチした状態から、指Ｆを上方向にスライドさせて「リーマ」の拡大項目ボタン６１ｇをタッチした状態に移行した場合を示している。この場合、拡大インデックス変更部１３は、「リーマ」の拡大項目ボタン６１ｇを最も大きなサイズとし、周囲の拡大項目ボタン６１ｅ〜６１ｆ，６１ｈ〜６１ｋを、「リーマ」の拡大項目ボタン６１ｇから離れるに従って、次第に小さくなるサイズとして表示する。
【００４９】
また、図７は、図６Ａに示した「タップ」の拡大項目ボタン６１ｈに使用者の指Ｆがタッチした状態から、指Ｆを下方向にスライドさせて「フライス用チップ・カッター」の拡大項目ボタン６１ｉをタッチした状態に移行した場合を示している。この場合、拡大インデックス変更部１３は、「フライス用チップ・カッター」の拡大項目ボタン６１ｉを最も大きなサイズとし、周囲の拡大項目ボタン６１ｆ〜６１ｈ，６１ｉ〜６１ｍを、「フライス用チップ・カッター」の拡大項目ボタン６１ｉから離れるに従って、次第に小さくなるサイズとして表示する。
【００５０】
このように、使用者によるタッチ箇所の上下方向のスライド操作に応じて、タッチされている（選択されている）拡大項目ボタン６１を最も大きなサイズとし、その周囲の拡大項目ボタン６１のサイズを次第に小さくして拡大インデックス６０を表示することにより、使用に対して、選択している項目の確認を容易にすることができると共に、他の項目の箇所がどの辺にあるかを直感的に認識させることができる。
【００５１】
続くＳＴＥＰ１１で、拡大インデックス変更部１３は、タッチされている拡大項目ボタン６１に割り当てられた項目（図６Ｂでは「リーマ」、図７では「フライス用チップ・カッター」）のページを表示して、図４のＳＴＥＰ６に進む。
【００５２】
なお、拡大インデックス変更部１３によるＳＴＥＰ５及びＳＴＥＰ１０〜ＳＴＥＰ１１の処理は、本発明の電子書籍の閲覧支援方法における拡大インデックス変更ステップに相当する。
【００５３】
ＳＴＥＰ６及びＳＴＥＰ６から分岐したＳＴＥＰ２０〜ＳＴＥＰ２２は、第１ページ表示切替部１４による処理である。第１ページ表示切替部１４は、ＳＴＥＰ６で、接触位置検知回路２１により、拡大インデックス６０に接触している指示体の右方向（本発明の第２方向に相当する）へのスライドが検知されたか否か（図８Ａに示したように、使用者により右方向へのスライド操作がなされたか否か）を判断する。
【００５４】
そして、右方向へのスライドが検知されたときはＳＴＥＰ２０に分岐し、右方向のスライドが検知されていないときはＳＴＥＰ７に進む。ＳＴＥＰ２０で、第１ページ表示切替部１４は、タッチパネル表示部２０に表示されている電子書籍のページを、１ページ先又は数ページ先のページに順次切り替えて表示するページ単位の送り表示（ページ送り表示）をする。
【００５５】
続くＳＴＥＰ２１で、第１ページ表示切替部１４は、接触位置検知回路２１により、拡大インデックス６０に接触している指示体の左方向のスライドが検知されたか否か（使用者が左方向のスライド操作を行ったか否か）を判断する。
【００５６】
そして、左方向のスライドが検知されたときはＳＴＥＰ２２に進み、第１ページ表示切替部１４は、ページ単位の送り表示を停止してＳＴＥＰ７に進む。一方、ＳＴＥＰ２１で、左方向のスライドが検知されないときにはＳＴＥＰ２０に戻り、第１ページ表示切替部１４は、ページ単位の送り表示を継続する。
【００５７】
なお、第１ページ表示切替部１４によるＳＴＥＰ６及びＳＴＥＰ２０〜ＳＴＥＰ２２の処理は、本発明の電子書籍の閲覧支援方法におけるページ表示切替ステップに相当する。
【００５８】
続くＳＴＥＰ７及びＳＴＥＰ７から分岐したＳＴＥＰ３０は、第２ページ表示切替部１５による処理である。
【００５９】
ＳＴＥＰ７で、第２ページ表示切替部１５は、接触位置検知回路２１により、拡大インデックス６０に接触している指示体が左方向（本発明の第１方向と異なる第３方向に相当する）にスライドしてから非接触になったことが検知されたか否か（図８Ｂに示したように、使用者が指を左方向にスライドさせて離す操作（フリック操作）を行ったか否か）を判断する。
【００６０】
そして、左方向にスライドしてから非接触になったことが検知されたときはＳＴＥＰ３０に分岐し、左方向にスライドしてから非接触になったことが検知されなかったときにはＳＴＥＰ８に進む。
【００６１】
ＳＴＥＰ３０で、第２ページ表示切替部１５は、タッチパネル表示部２０に表示されている電子書籍のページを、先の項目の先頭ページに順次切り替えて表示する項目単位の送り表示（インデックス送り表示）をして、ＳＴＥＰ８に進む。
【００６２】
ＳＴＥＰ７及びＳＴＥＰ３０の処理により、使用者は、拡大インデックス６０にタッチしている指を左方向にフリック操作することによって、現在閲覧中の項目から次の項目に容易に進めることができる。
【００６３】
制御部１０は、ＳＴＥＰ８で、接触位置検知回路２１により、拡大インデックス６０への指示体の接触が検知された状態が継続しているか否かを判断する。そして、拡大インデックス６０への指示体の接触が検知された状態が継続しているときは図３のＳＴＥＰ５に進む。この場合は、拡大インデックス６０の表示が継続される。
【００６４】
一方、拡大インデックス６０への指示体の接触が検知されなくなったときには、ＳＴＥＰ４０に分岐し、制御部１０は、拡大インデックス６０の表示を終了して、図３のＳＴＥＰ１に進む。この場合は、拡大インデックス６０の表示が消えて初期インデックス５０が表示される。
【００６５】
なお、本実施形態では、使用者がタッチパネル表示部２０を指でタッチして操作する場合を示したが、タッチペン等を用いてタッチパネル表示部２０を操作する場合の処理も同様になる。
【００６６】
また、本実施形態では、使用者が拡大インデックス６０にタッチした指を右方向にスライドさせたときにページ単位の送り表示を行ったが、指を左方向にスライドさせたときにページ単位の送り表示を行うようにしてもよい。或は、タッチした指を右方向にスライドさせたときはページ単位の送り表示（ページ送り表示）を行い、タッチした指を左方向にスライドさせたときにはページ単位の戻し表示（ページ戻し表示、表示しているページよりも前のページを順次表示する）を行うようにしてもよい。この場合、スライド方向（右方向，左方向）とページ送り及びパージ戻しの対応は任意に決めればよい。
【００６７】
また、本実施形態では、使用者が拡大インデックス６０にタッチした指を左方向にフリックしたときに、項目単位のインデックス送り表示をしたが、項目単位にページを戻すインデックス戻り表示をするようにしてもよい。或は、フリック操作の方向（右方向、左方向）に応じて、インデックス送り表示とインデックス戻り表示を切り替えるようにしてもよい。
【００６８】
また、本実施形態では、第１ページ表示切替部１４及び第２ページ表示切替部１５により、ページ表示の切替えを行ったが、第１ページ表示切替部１４のみ、或は第２ページ表示切替部１５によりページ表示の切替を行う場合にも、本発明の効果を得ることができる。また、第１ページ表示切替部１４及び第２ページ表示切替部１５によるページ表示の切替を行わない場合にも、本発明の効果を得ることができる。
【００６９】
また、本実施形態では、図３のＳＴＥＰ４及びＳＴＥＰ１１で、使用者により選択されている拡大項目ボタンに割り当てられた項目のページを直ちに表示するようにしたが、使用者が指示体を上下方向にスライドさせて拡大項目ボタンの選択操作をしている間は、拡大項目ボタンに割り当てられた項目のページを表示せず、使用者が左右方向のフリック操作等により、拡大項目ボタンに割り当てられた項目のページの表示を指示したときに、拡大項目ボタンに割り当てられた項目のページを表示するようにしてもよい。
【００７０】
また、本実施形態では、図４のＳＴＥＰ６で、ページ送りを指示する際の指示体のシフト方向である本発明の第２方向を右方向としたが、左方向としてもよい。また、本実施形態では、図４のＳＴＥＰ７で、項目単位のページ送りを指示する際のシフト方向である本発明の第３方向を左方向としたが、右方向としてもよい。これらの場合、右方向及び左方向は厳密なものではなく、右上方向、左下方向等も含むものである。
【００７１】
また、本実施形態では、本発明のタッチパネル装置として、図１の携帯型のタブレット端末を示したが、他の種類のタッチパネル装置として、例えば、航空機、宇宙船のコクピットに配置される表示器のように、配置スペースが制約される場所に配置されるタッチパネル装置に対して、本発明を適用することも有効である。
【００７２】
また、本実施形態では、本発明の電子書籍として工具の電子カタログを示したが、雑誌、辞書、電話帳、取扱い説明書等の多様な電子書籍を閲覧する場合に、本発明を適用することができる。
【符号の説明】
【００７３】
１…タッチパネル装置、１０…制御部、１１…初期インデックス表示部、１２…拡大イ
ンデックス表示部、１３…拡大インデックス変更部、１４…第１ページ表示切替部、１５…第２ページ表示切替部、２０…タッチパネル表示部、２１…接触位置検知回路、３０…通信回路、４０…電子書籍の閲覧画面、５０…初期インデックス、５１…項目ボタン、６０…拡大インデックス、６１…拡大項目ボタン、Ｆ…使用者の指（指示体）。
【図１】
2016151919.tif 000003
【図２】
2016151919.tif 000004
【図３】
2016151919.tif 000005
【図４】
2016151919.tif 000006
【図５】
2016151919.tif 000007
【図６】
2016151919.tif 000008
【図７】
2016151919.tif 000009
【図８】
2016151919.tif 000010
【国際調査報告】
2016151919.tif 000011
2016151919.tif 000012
2016151919.tif 000013
2016151919.tif 000014